(57)【特許請求の範囲】
【請求項１】
本体と、この本体内に設けられる電動送風機及び塵埃貯留部と、前記本体外に設けられる把持部とを有する手持ち式掃除機において、基端が前記本体に取り付けられたホースと、このホースの先端に設けられた吸込口体と、前記本体に設けられ前記ホースの先端または前記吸込口体を着脱自在に保持する保持部を設け、前記把持部に前記ホースの上部を係合可能な押さえ部を形成すると共に、前記ホースが前記押さえ部によって位置決めされるように構成したことを特徴とする手持ち式掃除機。
【請求項２】
前記本体の上面側に前記ホースの下部を係合可能な溝部を形成すると共に、前記ホースが前記溝部によって位置決めされるように構成したことを特徴とする請求項１記載の手持ち式掃除機。
【請求項３】
前記吸込口体を保持部で保持した状態で前記把持部を把持して清掃可能となる位置に前記保持部を配置したことを特徴とする請求項１又は２に記載の手持ち式掃除機。
【請求項４】
前記保持部は前記把持部の前側より突設した支持部を介して設けると共に、前記保持部の軸線の前側を斜め下向きに形成したことを特徴とする請求項３記載の手持ち式掃除機。
【発明の詳細な説明】
【０００１】
【発明の属する技術分野】
本発明は、手持ち式掃除機に関する。
【０００２】
【発明が解決しようとする課題】
従来、手持ち式掃除機としては例えば特開平１０−２７６９４２号公報のハンディ型電気掃除機が公知である。このハンディ型電気掃除機は、集塵フィルタを塵埃貯留部たる集塵室内に設けると共に、前記集塵室を負圧にする電動送風機等を収容した本体の後部に、後方へ突出し本体の幅方向に所定の幅を有する脚部を設けると共に、前記本体の後部の上方に後方へ延びた把持部たるハンドルが形成され、かつ前記本体の前部の接続口に吸込口体を備えているものである。そして、このような電気掃除機においては、ハンドルを握ってスイッチをオンにし、本体を片手で持ち上げながら移動させて吸込口体から塵埃を吸引し、塵埃を集塵室に捕捉するものである。
【０００３】
このような従来のハンディ型電気掃除機においては、本体と吸込口体とが一体であったので、本体の向きと吸込口体の向きとが常に同じであった。したがって、例えば部屋の隅などを掃除するときには吸込口体のみならず、本体をも部屋の隅などに対向させる必要があり、取扱い性に劣るという問題がある。このような問題を解決する手段として本体と吸込口体とを可撓性のホースを介して接続することが考えられるが、このような場合には一方の手で本体を持ち上げると共に、他方の手で吸込口体を持ち上げながら移動させるので、両手が拘束されてしまう。また、不使用時にホースが邪魔になってしまうという問題があった。
【０００４】
そこで、本発明は、不使用時にコンパクトにでき、両手を使って部屋の隅などを本体の向きに拘束されることなく掃除することができると共に、片手で本体を把持しても掃除ができるように取扱い性を向上した手持ち式掃除機を提供することを目的とする。
【０００５】
【課題を解決するための手段】
請求項１の発明は、本体と、この本体内に設けられる電動送風機及び塵埃貯留部と、前記本体外に設けられる把持部とを有する手持ち式掃除機において、基端が前記本体に取り付けられたホースと、このホースの先端に設けられた吸込口体と、前記本体に設けられ前記ホースの先端または前記吸込口体を着脱自在に保持する保持部を設け、前記把持部に前記ホースの上部を係合可能な押さえ部を形成すると共に、前記ホースが前記押さえ部によって位置決めされるように構成したことを特徴とする手持ち式掃除機である。
【０００６】
この請求項１の構成によれば、前記ホースの先端または前記吸込口体を保持部により保持することにより、吸込口体を本体と一体的に設けることができ、一方前記ホースの先端または前記吸込口体を保持部から外すことにより、吸込口体を本体と別体的に設けることができる。また、前記ホースの上部が把持部の押さえ部によって位置決めされるので、片手で本体を把持して使用する際にホースが本体から外れないようにできる。
【０００７】
請求項２の発明は、前記本体の上面側に前記ホースの下部を係合可能な溝部を形成すると共に、前記ホースが前記溝部によって位置決めされるように構成したことを特徴とする請求項１記載の手持ち式掃除機である。
【０００８】
この請求項２の構成によれば、ホースの下部が本体上面側の溝部によって本体上に位置決めされるので、片手で本体を把持して使用する際にホースを溝部内に位置させておくことができる。
【０００９】
請求項３の発明は、前記吸込口体を保持部で保持した状態で前記把持部を把持して清掃可能となる位置に前記保持部を配置したことを特徴とする請求項１又は２に記載の手持ち式掃除機である。
【００１０】
この請求項３の構成によれば、把持部を把持した状態で、吸込口体が清掃可能となる位置に配置されるものである。
【００１１】
請求項４の発明は、前記保持部は前記把持部の前側より突設した支持部を介して設けると共に、前記保持部の軸線の前側を斜め下向きに形成したことを特徴とする請求項３記載の手持ち式掃除機である。
【００１２】
この請求項４の構成によれば、把持部を把持した状態で吸込口体を前側下方に向けた状態で保持部に保持される。
【００１３】
【発明の実施形態】
以下、本発明の一実施形態を、添付図を参照して説明する。１は手持ち式掃除機の本体であり、この本体１は軸線Ａを上下方向に向けた略短円柱形状をなしたケース形状であり、下ケース２と、この下ケース２の上部に着脱自在に設けられる塵埃貯留部３と、この塵埃貯留部３の上部を閉塞する上ケース４と、この上ケース４の上部前後方向に形成したアーチ状の把持部５とを備えている。そして、前記上ケース４に形成し前記塵埃貯留部３に連通する塵埃吸入導路たる接続口６に、塵埃吸入路たる可撓性のホース７の基端７Ａが接続されていると共に、このホース７の先端７Ｂに、アタッチメントとしての幅広な吸込口体８の基端８Ａが着脱自在に設けられる。
【００１４】
９は前記下ケース２に設けた吸引用の電動送風機であり、この電動送風機９は前記下ケース２の上面中央に上方へ突設すると共に吸引孔10を形成した突部11に連通して配置されている。また、前記塵埃貯留部３は、上方を開口した透明又は半透明合成樹脂からなる円環部12の中央の軸線Ａ上に貫通孔12Ａが形成されており、この貫通孔12Ａの内側は、前記突部11に着脱自在に嵌合している。さらに、前記貫通孔12Ａの上方を覆うように、織布或いはフェルト等不織布からなる目の細かい集塵用の内側フィルター13が固定されている。尚、この内側フィルター13は、前記貫通孔12Ａに設けた内側支持枠14により、その内側を支持されている。さらに、前記内側フィルター13の外側を覆うように、目の粗い集塵用の外側フィルター15を設ける。この外側フィルター15は、天板部16の外周下方に複数の通気孔17を形成した外側支持枠18と、前記通気孔17を覆う網体からなる外側フィルター本体15Ａから形成される。そして、前記外側支持枠18の下枠部18Ａは、前記円環部12の内周部12Ｂに着脱自在に固定されている。この固定は、例えば、前記下枠部18Ａに雌螺子19を形成すると共に、前記円環部12の内周部12Ｂの下部外周面に雄螺子20を形成して両者を螺子結合したり、或いは前記下枠部18Ａの内側に小突起（図示せず）を形成すると共に、前記円環部12の内周部12Ｂに溝（図示せず）を形成して両者を嵌着したりするものである。また、前記接続口６は、前記把持部５の前側の一側に形成されるように、前記上ケース４の前部一側に配置されると共に、その接続口６の向きは、前記軸線Ａを中心としたほぼ接線方向Ｓに形成されて前記円環部12の外周に沿うように配置されている。そして、前記ホース７の基端７Ａも、前記軸線Ａを中心としたほぼ接線方向Ｓとなって前記接続口６に接続される。したがって、前記電動送風機９を作動すると、前記吸込口体８から前記ホース７を塵埃と共に通った空気は、前記接続口６から前記上ケース４と塵埃貯留部３との間に渦巻きとなって吸引される。
【００１５】
21は、前記上ケース４の上面側に該上面の縁に沿って形成した溝部であり、この溝部21は、断面が円弧状にくりぬかれたような凹部により形成され、この溝部21に、断面が円形の前記ホース７の略下半分が係合するようになっている。さらに、前記溝部21は、平面がＣ字形状に形成されており、その前側は前記把持部５の前側により非連続となっており、前記溝部21の後側では、前記把持部５の後部が前記溝部21の上方に配置されて、この後部により押さえ部22が形成される。前記溝部21の後部と押さえ部22との間隔は、前記ホース７の直径と略同じに形成されている。さらに、前記把持部５の前側の他側には、前記ホース７の先端或いは該先端に取り付けられた前記吸込口体８の基端８Ａを保持するための保持部23を設ける。この保持部23は、前記把持部５の前側の他側より突設した支持部23Ａを介して、その軸線Ｂの前側を斜め下向きとすると共に、その形状は、前記ホース７の先端７Ｂの外径或いは前記吸込口体８の基端８Ａの外径とほぼ同じ内径を有する一部を切り欠いた円筒状である。  尚、図中24は前記本体１の前部に設けられ前記下ケース２に対して前記上ケース４を回動自在に接続するヒンジ部であり、25は前記本体１の後部に設けられ前記下ケース２に対して前記上ケース４を固定するクランプ、26は前記把持部５に設けた前記電動送風機９のスイッチである。
【００１６】
次に、前記構成についてその作用を説明する。前記本体１の把持部５を一方の手で把持すると共に、前記吸込口体８を前記保持部23から取り外し、他方の手で保持して部屋の隅などに向ける。そして、スイッチ26を操作することで前記電動送風機９を作動して、塵埃を前記吸込口体８、ホース７、接続口６を通して前記塵埃貯留部３と上ケース４の間に吸引する。吸引された塵埃は、吸引された空気と共に前記円環部12内を旋回して、サイクロン作用により前記円環部12の底に貯留される。さらに、細かい塵埃は、前記外側フィルター15、内側フィルター13により捕捉される。
【００１７】
一方、片手のみで使用したいときには、まず前記ホース７を前記溝部21に置いて、そのほぼ下半分を係合すると共に、前記上ケース４の後側においては前記ホース７を前記溝部21と把持部５の押さえ部22で挟むように固定する。さらに、前記先端７Ｂを前記保持部23に挿入すると共に、前記先端７Ｂに前記吸込口体８の基端８Ａを接続する。この際、前記吸込口体８は、前記軸線Ｂに沿うように前側下方に向かうように取り付けられる。そして、前記保持部23で保持された前記吸込口体８を部屋の隅などに向けると共に、前記本体１の把持部５を手で持ち上げ、前記スイッチ26を操作することで前記電動送風機９を作動させて、塵埃を前記吸込口体８、ホース７、接続口６を通して前記塵埃貯留部３と上ケース４の間に吸引する。吸引された塵埃は、吸引された空気と共に前記円環部12内を旋回して、サイクロン作用により前記円環部12の底に貯留される。さらに、細かい塵埃は、前記外側フィルター15、内側フィルター13により捕捉される。
【００１８】
次に、塵埃を廃棄するには、まず前記クランプ25を解除して前記ヒンジ部24を介して前記上ケース４を開き、そして、前記下ケース２に載置されている前記塵埃貯留部３を取り出し、前記円環部12を下向きにして貯留されている塵埃を廃棄する。この際には、前記外側フィルター15は前記雌螺子19と雄螺子20による螺子結合により前記円環部12の内周部12Ｂに固定されているので、前記外側フィルター15が離脱するようなことはない。さらに、前記外側フィルター15に付着した塵埃を除去するには、前記外側フィルター15を回して螺子結合を解除して上方へ取り上げて軽く叩くなどして塵埃を取り除き、再び前記外側フィルター15を前記内側フィルター13に被せるようにして、螺子結合により固定するものである。
【００１９】
以上のように、前記実施例においては、本体１と、この本体１内に設けられる電動送風機９及び塵埃貯留部３と、前記本体１外の上部に設けられる把持部５とを有し、基端７Ａが前記本体１に取り付けられたホース７と、このホース７の先端７Ｂに設けられた吸込口体８と、前記本体１に設けられ前記ホース７の先端７Ｂを着脱自在に保持する保持部23を設け、前記ホース７の先端７Ｂを保持部23より外して一方の手で本体１を持ち上げ他方の手で吸込口体８を持って吸込口体８を前記本体１に拘束されずに自由な方向に向けて掃除をすることができ、一方前記ホース７の先端７Ｂを前記保持部23で係合保持して片手で前記本体１を把持して前記吸込口体８を一体とした前記本体１の向きを変えて掃除をすることができ、１台の手持ち式掃除機であっても片手或いは両手のいずれの使用にも対応することができる。
【００２０】
また、前記本体１の上面側に前記ホース７の下部を係合可能な溝部21を形成し、前記把持部５の後部に前記ホース７の上部を係合可能な押さえ部22を形成すると共に、前記ホース７が前記溝部21及び押さえ部22によって位置決めされるように構成したことにより、片手で前記本体１を把持して掃除をする際に、前記ホース７の下半分のほぼ全長が前記溝部21に係合すると共に、前記本体１の後側で前記ホース７の上部を前記押さえ部22により押さえることにより、前記本体１を片手で把持して掃除を行う際に、前記ホース７がばたつくようなことがなく前記本体１に固定した状態にできるので、前記ホース７に邪魔されることなく安心して掃除を続けることができるばかりでなく、不使用時に前記ホース７が邪魔にならずコンパクトにできる。
【００２１】
また、前記吸込口体８を前記保持部23で保持した状態で前記把持部５を把持して清掃可能となるように、前記本体１の前側に前記吸込口体８が向くような位置に前記保持部23を配置したことにより、前記保持部５を保持すると共に、前記本体１の前側を所望箇所に向けると前記吸込口体８自体も所望箇所に向くことになるので、自然な姿勢で掃除を続けることができる。
【００２２】
しかも、前記保持部22は前記把持部５の前側より突設した支持部23Ａを介して設けると共に、前記保持部22の軸線Ｂの前側を斜め下向きに形成したことにより、前記本体１の前側下方に前記吸込口体８が向くので、腰を大きくかがめることなく掃除を続けることができる。
【００２３】
尚、本発明は上記実施例に限定されるものではなく、本発明の要旨の範囲内において、種々の変形実施が可能である。例えば、実施例では本体に設けられた保持部はホースの先端を保持したものを示したが、保持部に吸込口体の基端を保持するようにしてもよい。
【００２４】
【発明の効果】
請求項１の発明は、本体と、この本体内に設けられる電動送風機及び塵埃貯留部と、前記本体外に設けられる把持部とを有する手持ち式掃除機において、基端が前記本体に取り付けられたホースと、このホースの先端に設けられた吸込口体と、前記本体に設けられ前記ホースの先端または前記吸込口体を着脱自在に保持する保持部を設け、前記把持部に前記ホースの上部を係合可能な押さえ部を形成すると共に、前記ホースが前記押さえ部によって位置決めされるように構成したことを特徴とする手持ち式掃除機であり、前記ホースの先端または前記吸込口体を前記保持部により保持して前記本体を片手で把持して掃除をすることができ、また、前記ホースの先端または前記吸込口体を前記保持部から外すことにより、一方の手で前記本体を持ち上げると共に、他方の手で前記吸込口体を持って掃除を行うことができ、１台の手持ち式掃除機であっても片手、両手のいずれでも使用することができる。また、前記ホースに邪魔されることなく掃除を行うことができるばかりでなく、不使用時にも前記ホースが保持されることでコンパクトにすることができる。
【００２５】
請求項２の発明は、前記本体の上面側に前記ホースの下部を係合可能な溝部を形成すると共に、前記ホースが前記溝部によって位置決めされるように構成したことを特徴とする請求項１記載の手持ち式掃除機であり、前記ホースに邪魔されることなく掃除を行うことができるばかりでなく、不使用時にも前記ホースが保持されることでコンパクトにすることができる。
【００２６】
請求項３の発明は、前記吸込口体を前記保持部で保持した状態で前記把持部を把持して清掃可能となる位置に前記保持部を配置したことを特徴とする請求項１又は２に記載の手持ち式掃除機であり、片手で前記本体を把持してそのまま前記吸込口体により塵埃を吸い込むことができる。
【００２７】
請求項４の発明は、前記保持部は前記把持部の前側より突設した支持部を介して設けると共に、前記保持部の軸線の前側を斜め下向きに形成したことを特徴とする請求項３記載の手持ち式掃除機であり、前記把持部を把持した状態で前記吸込口体が前側下方に向き、腰を大きくかがめることなく掃除を行うことができる。
【図面の簡単な説明】
【図１】  本発明の一実施例を示す全体斜視図である。
【図２】  本発明の一実施例を示す一部切り欠き側面図である。
【図３】  本発明の一実施例を示す分解斜視図である。
【符号の説明】
１  本体
３  塵埃貯留部
５  把持部
７  ホース
７Ａ  基端
７Ｂ  先端
８  吸込口体
９  電動送風機
21  溝部
22  押さえ部
23  保持部
23Ａ  支持部
Ｂ  軸線
【図１】
0003648738.tif 000002
【図２】
0003648738.tif 000003
【図３】
0003648738.tif 000004